(57)【特許請求の範囲】
【請求項１】
遊技者の貨幣投入を受け付ける貨幣受付手段と、
前記貨幣受付手段が受け付けた貨幣の金額分、遊技者が遊技に使用可能な残額を増加させる残額増加手段と、
遊技者が予め定められた貸出操作を行う貸出操作手段と、
遊技者が前記貸出操作を行った場合に、前記残額を対価として、遊技機における遊技にて使用する遊技価値を遊技者に付与する遊技価値付与手段と、
遊技者の遊技に関する管理金額の額を設定する管理金額設定手段と、
遊技者が投入した金額の合計、又は遊技者が対価として使用した金額の合計である遊技総額が前記管理金額に達した場合又は達する場合に、予め定められた特別報知を実行する特別報知実行手段と、
遊技者が予め定められた発行操作を行う発行操作手段と、
遊技者が前記発行操作を行った場合、前記残額があることを条件に、当該残額を特定可能な情報を記録した記録媒体を発行する一方、前記残額がない場合、前記管理金額を前記管理金額設定手段が設定していることを条件に、当該管理金額に前記遊技総額が達するまでの残り金額である特別報知金額を特定可能な情報を記録した記録媒体を発行する発行手段と、を備えたことを特徴とする遊技用装置。
【請求項２】
前記発行手段は、前記管理金額を前記管理金額手段が設定しており、前記残額がある状態にて遊技者が前記発行操作を行った場合、前記残額に加えて前記特別報知金額を特定可能な情報を記録した前記記録媒体を発行する一方、前記管理金額を前記管理金額設定手段が設定しておらず、前記残額がない状態では前記記録媒体の発行を抑制することを特徴とする請求項１に記載した遊技用装置。
【請求項３】
前記記録媒体を受け付ける記録媒体受付手段と、
前記記録媒体受付手段が前記記録媒体を受け付けた場合に前記残額及び前記特別報知金額を特定する金額特定手段と、
前記記録媒体受付手段が前記記録媒体を受け付けた後、前記管理金額を設定しておらず、前記残額がない前記記録媒体を回収する記録媒体回収手段と、を備えたことを特徴とする請求項１または２に記載した遊技用装置。
【請求項４】
前記管理金額設定手段が前記管理金額を設定した場合、遊技者の投入金額の一部を、前記管理金額の設定を解除するまで遊技に使用できない補償金として設定する補償金設定手段と、
予め定められた解除条件が成立した場合に、前記管理金額の設定を解除する管理金額解除手段と、
前記管理金額解除手段が前記管理金額を解除した場合に、前記補償金を遊技に使用可能にする補償金解除手段と、を備えたことを特徴とする請求項１〜３の何れか一項に記載した遊技用装置。
【請求項５】
前記特別報知実行手段が前記特別報知を実行した場合に、前記管理金額の設定を解除する管理金額解除手段を備えたことを特徴とする請求項１〜３の何れか一項に記載した遊技用装置。
【請求項６】
前記特別報知実行手段が前記特別報知を実行した場合に、前記管理金額の設定を解除するか、又は前記管理金額を再度設定するかを遊技者に選択させる選択手段を備えたことを特徴とする請求項４または５に記載した遊技用装置。
【請求項７】
前記貨幣受付手段は、前記残額が予め定められた投入金額未満であることを条件に、貨幣投入を受け付けるものであり、
前記特別報知実行手段は、貨幣を受け付けると前記遊技総額が前記管理金額に達する状況にて、前記残額が前記投入金額未満になった場合に前記特別報知を実行することを特徴とする請求項１〜６の何れか一項に記載した遊技用装置。
【発明の詳細な説明】
【技術分野】
【０００１】
本発明は、遊技用装置に関する。
【背景技術】
【０００２】
遊技場には、遊技にて使用する玉やメダルを貸し出す貸出機が設けられている。貸出機は、貨幣を投入可能になっており、投入金額を対価として玉やメダルを貸し出している。また、近年、遊技者が遊技にのめり込み、過度な金額を遊技に使用してしまうことが問題視されている。このため、過度な金額の使用を抑制する技術が提案されている。例えば特許文献１には、会員登録を行った遊技者が使用した金額を管理し、上限を超える入金を禁止する技術が記載されている。
【先行技術文献】
【特許文献】
【０００３】
【特許文献１】特開２００６−１４８６６号公報
【発明の概要】
【発明が解決しようとする課題】
【０００４】
しかしながら、特許文献１に記載された技術では、会員登録を行った遊技者を対象としており、会員登録を行っていない遊技者に関しては使用金額の管理を行うことができない等、使用金額の管理に関する課題を内在している。
【０００５】
本発明は、上記した事情に鑑みてなされたもので、その目的は、遊技者が遊技にのめり込むことの抑制が可能な遊技用装置を提供することにある。
【課題を解決するための手段】
【０００６】
請求項１の遊技用装置によれば、本来残額がない状態では発行できない記録媒体を、管理金額を設定していれば残額がなくとも発行するため、遊技者の遊技総額を記録媒体に対心付けて特定し易くなる。これにより、会員登録を行っていない遊技者に対しても遊技総額に応じて特別報知を実行できる。この結果、会員登録を行っていない遊技者が遊技にのめり込むことを抑制できる。
【図面の簡単な説明】
【０００７】
【図１】本発明の一実施形態を示す全体構成図
【図２】貸出機の機能ブロック図
【図３】のめり込み防止処理に係る表示画面を示す図（その１）
【図４】のめり込み防止処理に係る表示画面を示す図（その２）
【図５】のめり込み防止処理に係る表示画面を示す図（その３）
【発明を実施するための形態】
【０００８】
以下、本発明の一実施形態について図面を参照して説明する。
図１は、遊技場用管理システムの全体構成を示す概略図である。遊技場内には複数の遊技機１が設置されており、各遊技機１に対応して貸出機２及び呼出ランプ３が設置されている。同図に示すように、１台の遊技機１に対して、その側方に１台の貸出機２が配置され、当該遊技機１の上方に１台の呼出ランプ３が配置されている。遊技機１、貸出機２、及び呼出ランプ３は、夫々中継装置４に接続されており、中継装置４はＬＡＮ５を介して管理装置６と接続されている。
【０００９】
また、遊技場には、精算機７や、景品交換端末たる図示しないＰＯＳ等も設置されており、これらの装置もＬＡＮ５を介して管理装置６と接続されている。精算機７は、一般カード９又は会員カード１０（何れも図２参照）がカード挿入口１１に挿入されると、挿入されたカード９，１０に記録されている入金残高たる残額をカードリーダ（図示略）により読み取り、その読み取った残額に対応する紙幣や硬貨を返却口１２から返却する。図示は省略するが、前記ＰＯＳは、付属するカードリーダライタにより読み取った一般カード９或いは会員カード１０により特定される遊技価値（持玉数或いは貯玉数）に基づいて景品交換処理を実行する。
【００１０】
尚、単に「カード９，１０」というときは、一般カード９及び会員カード１０を総称するものとする。また、精算機７やＰＯＳにおいてカード９，１０に記録されている遊技価値を取扱うときは、管理装置６がカード９，１０に対応して予め記憶している遊技価値と照合し、真であると判定したことを条件として遊技価値の取扱いを有効とする。
【００１１】
管理装置６は、遊技場内の例えば事務室等に設置されており、遊技場の管理者が操作するキーボード１３、モニタ１４、図示しないプリンタ等が接続されている。尚、図１では図示を省略したが、実際には例えば数百台の遊技機１が管理装置６の管理対象となっている。
【００１２】
管理装置６は、遊技場内に設置された遊技機１、貸出機２、精算機７、ＰＯＳ等の稼動状況を管理すると共に、遊技機１や貸出機２等の遊技機側から出力される信号に基づいて遊技者毎の遊技価値（持玉数・貯玉数）や残額の他、遊技機１毎の遊技データを記憶管理する。尚、持玉とは当日中に計数した玉であり、貯玉とは前日以前に計数した玉である。
【００１３】
遊技機１はＣＲパチンコ機であり、盤面１５に玉を発射する発射装置を構成する操作ハンドル１６、上部受皿１７、下部受皿１８を有すると共に、盤面１５に、液晶表示部１９、始動口２０、大入賞口２１を有する。また、遊技機１は、上部受皿１７の上面に、左右に並ぶようにして設けた貸出ボタン１７ａと発行ボタン１７ｂを有する。遊技者が操作ハンドル１６を操作すると、玉が盤面１５に発射され、その玉が始動口２０に入賞すると、その入賞に応じた数の玉を払出したり大当たり抽選を行ったりする。大当たり抽選では、液晶表示部１９において所謂特別図柄（特図）による図柄変動を実行し、停止表示された図柄が大当たり図柄の場合に大当たりが発生する。大当たりが発生すると、例えば１５ラウンド分だけ大入賞口２１を開放する。
【００１４】
尚、遊技機１は、遊技者による遊技が進行することに応じて、打ち込んだ玉の玉数である投入媒体数を特定可能なアウト信号、払出された玉の数である払出媒体数を特定可能なセーフ信号、大当たり状態を特定可能な大当たり信号等の各種の遊技信号を出力する。また、貸出ボタン１７ａは、遊技者が予め定められた貸出操作を行う貸出操作手段、発行ボタン１７ｂは、遊技者が予め定められた発行操作を行う発行操作手段に相当する。この遊技機１での貸出操作や発行操作に応じた信号が貸出機２に入力されるものであり、貸出機２は、これを遊技用装置として主体に見れば、併設された外部の装置（遊技機１）に各操作ボタン１７ａ，１７ｂを備えるものといえる。つまり、係る操作ボタン１７ａ，１７ｂは遊技機１に設けられているが、遊技用装置が備える構成に含まれる。
【００１５】
貸出機２は、現在の運用状態（例えば正常状態、エラー状態等）を示す状態表示部２２、紙幣が投入される紙幣投入口２３、遊技の進行に伴って図柄変動回数（スタート回数）や大当たり確率等の遊技データを表示すると共に後述の特別報知に係る情報を表示するタッチパネル式の液晶表示部２４、１単位分（５００円相当）の玉を払い出すための払出ボタン２５、払出された玉が通過する払出ノズル２６、従業員が携帯するリモコン２７（図２参照）からの光信号を受信するリモコン受光部２８、一般カード９或いは会員カード１０が挿入されるカード挿入口２９、遊技機１の下部受皿１８の下方に位置する着脱可能な計数受皿３０等を備えている。尚、詳しくは後述するが、払出ボタン２５は、持玉数や貯玉数の範囲内で１単位分（１度数の１２５玉）ずつ貸出機２の払出部３９から払い出すのに対し、貸出ボタン１７ａは、残額の範囲内で１度数ずつ遊技機１内部の払出機構から払い出す点で払出ボタン２５と相違する。
【００１６】
貸出機２は、遊技機１の貸出ボタン１７ａに対する貸出操作に応じて貸出処理を実行し、発行ボタン１７ｂに対する操作に応じてカード発行処理を実行する。つまり、貸出機２は、残額の範囲内で遊技媒体としての玉の貸出処理を行うと共に、遊技機１の下部受皿１８から払出される玉（遊技価値）を受入れて計数し、残額及び持玉数を一般カード９又は会員カード１０に記録して発行する。一般カード９を受付けたときは、残額及び持玉数を表示すると共にそれらの範囲内で貸出・発行（返却）処理を行う。会員カード１０を受付けたときは、残額及び持玉数を表示すると共に暗証番号の入力を条件として貯玉数を表示し、それらの範囲内で貸出・返却処理を行う。
【００１７】
図２は、貸出機２の構成を示す機能ブロック図である。貸出機２は、ＣＰＵ３３ａ、ＲＯＭ３３ｂやＲＡＭ３３ｃ等の記憶部３３ｅ、Ｉ／Ｏ３３ｄを有するマイクロコンピュータにより構成される制御部３３、当該制御部３３と接続された周辺部を備えて構成されている。周辺部としては、管理装置６及び遊技機１との間で各種信号や各種情報を送受信するＩ／Ｆ部３４、紙幣投入口２３に投入された紙幣の真贋を判定する紙幣処理部３５、液晶表示部２４、当該液晶表示部２４上に設けられたタッチパネル３６、カード挿入口２９に挿入されたカード９，１０に記録されている各種情報を読み取ったり、書き込んだりするカードＲＷ（リーダライタ）３７、最大１０枚の一般カード９をストック可能なカードストック部３８、払出ボタン２５、当該払出ボタン２５が操作されたときに、前記１単位分の玉を払出ノズル２６から払い出す払出部３９、計数受皿３０から流入する玉数を計数する計数部４０等である。
【００１８】
カード９，１０にはＩＣチップ９ａ，１０ａがそれぞれ内蔵されており、ＩＣチップ９ａには一般ＩＤが記憶され、ＩＣチップ１０ａには会員ＩＤが記憶されている。これらのカード９，１０は、貸出機２に入金された入金金額（残額）や持玉数を特定可能な情報を記録した記録媒体である。一般カード９は当日限り有効で、残額及び持玉数を記録可能である。会員カード１０は、予め設定されている有効期限（例えば３年間）まで有効であり、残額を記録可能である一方、持玉数・貯玉数は管理装置６のみに記憶する。
【００１９】
さて、貸出機２の制御部３３（以下適宜、貸出機２と略す）は、以下に説明する残額増加手段、遊技価値付与手段、管理金額設定手段、特別報知実行手段、管理金額解除手段、発行手段、金額特定手段、補償金設定手段、補償金解除手段、選択手段、特別報知実行手段として構成され、次の動作を行う。
【００２０】
（１）遊技者による紙幣投入口２３からの紙幣（貨幣）投入を、貨幣受付手段たる紙幣処理部３５で受け付け、その受け付けた当該紙幣の金額（１０００円単位）分、遊技者が遊技に使用可能な残額を増加させて記憶する。また、増加させた残額を液晶表示部２４に表示する。
【００２１】
（２）前記貸出ボタン１７ａでの貸出操作に応じて残額の範囲内で１度数（５００円）に相当する数の玉を遊技機１内部の払出機構から払い出す。つまり、遊技者が貸出操作を１回実行した場合に、残額を対価として、遊技機１における遊技にて使用する遊技価値として例えば１２５玉、遊技者に付与する。このとき、遊技機１から貸出機２に１度数分の玉を払い出したことを示す信号が出力されるので、液晶表示部２４に表示されている残額から１度数に相当する金額（５００円）を減額すると共に売上信号を出力する。この売上信号は１度数の玉の払い出し毎に１パルスが出力されるので、１パルスを５００円分の売上額として特定する。こうして、貸出機２の制御部３３は、遊技機１の払出機構と共に遊技価値付与手段を構成しており、当該払出機構は、遊技用装置が備える構成に含まれる。
【００２２】
（３）遊技機１の下部受皿１８から落下して計数受皿３０で受けられた玉が計数部４０に流入することで玉数を計数して液晶表示部２４に表示する。
（４）払出ボタン２５の操作に応じて計数玉数（持玉数）又は貯玉数（会員遊技者の場合）の範囲内で１度数ずつ払い出す。
【００２３】
（５）前記発行ボタン１７ｂでの発行操作に応じて残額及び持玉数をカード挿入口２９に挿入されている一般カード９に記録して発行する。会員カード１０が挿入されている場合は、残額を会員カード１０に記録すると共に暗証番号の入力を条件として持玉数を管理装置６に送信してから会員カード１０を発行する。カード９，１０を発行する場合は、発行情報を管理装置６へ送信し、管理装置６側にも記憶する。尚、カード挿入口２９に一般カード９も会員カード１０も挿入されていない場合は、カードストック部３８にストックしている一般カード９を図示しない記録媒体移動手段によりカードＲＷ３７への繰り出しによりセットして残額及び持玉数を記録して発行する。また、残額及び持玉数が何れも０となり、且つ後述の管理金額も設定されていない場合は、カードＲＷ３７にセットされた一般カード９を記録媒体移動手段によりカードストック部３８に回収する。このように、記録媒体移動手段とカードストック部３８は、少なくとも管理金額を設定しておらず且つ残額がない一般カード９を回収する記録媒体回収手段に相当する。尚、記録媒体移動手段は、貸出機２に内蔵されたカード搬送用の複数のローラとその駆動モータとを含み、カード９，１０を上記ストック部３８、ＲＷ３７或いは挿入口２９側へとそれら所定位置に搬送するように構成されたカード搬送機構である。
【００２４】
（６）一般カード９がカード挿入口２９に挿入された場合は、記録媒体受付手段たるカードＲＷ３７により一般カード９を受け付けて当該カード９に記録されている残額及び持玉数を読み出し、液晶表示部２４に表示する。会員カード１０が挿入された場合は、会員カード１０に記録されている残額を読み出して液晶表示部２４に表示すると共に暗証番号の入力を条件として管理装置６の会員口座に記憶されている貯玉数も表示する。ここで、貯玉数には、当日貯玉された当日貯玉数と、前日までの貯玉数である前日貯玉数とを含む。営業終了後は、当日貯玉数は前日貯玉数に合算して記憶される。遊技者による払出操作に応じて貯玉数の範囲内で１度数分の玉を払出ノズル２６から払い出す。
【００２５】
（７）液晶表示部２４において、タッチパネル３６（選択手段）での遊技者の操作入力（以下、タッチ操作と称す）に応じて、遊技機１に関する遊技データや、遊技場からのメッセージ等、各種情報を表示する。
【００２６】
そして、本実施形態の貸出機２は、液晶表示部２４でのタッチ操作により、遊技者の遊技に使用する使用金額を管理するために、予め定める管理金額（遊技者の遊技に関する管理金額）の額の設定が可能に構成されている。これにより、貸出機２は、遊技者が対価として使用した金額の合計である遊技総額が管理金額に達した場合若しくは達する場合に、後述の予め定められた特別報知を液晶表示部２４で実行するようになっている。この実行に係る制御部３３及び液晶表示部２４は、特別報知実行手段に相当する。また、貸出機２は、遊技者が発行ボタン１７ｂでの発行操作を行った場合、残額があることを条件に、当該残額を特定可能な情報を記録したカード９，１０を発行する一方、残額がない場合、管理金額の設定があることを条件に、当該管理金額に遊技総額が達するまでの残り金額（特別報知金額）を特定可能な情報を記録したカード９，１０を発行する。
【００２７】
こうした、貸出機２の具体的機能乃至動作手順について、図３〜図５に示す貸出機２の液晶表示部２４に表示される画面を参照しながら説明する。また、以下では、説明の便宜上、主に一般カード９を対象として説明する。
【００２８】
１．管理金額及び補償金の設定
図３は、貸出機２において遊技者が管理金額や補償金を設定するときの画面を、ステップＳ１〜Ｓ３の画面遷移で例示している。即ち、貸出機２は、液晶表示部２４で図示しないメニュー画面を表示しており、その表示部２４でのタッチ操作によって、当該メニュー画面における使用金額に関する項目のボタン（図示略）が選択されると（或いは紙幣投入口２３へ紙幣が投入されると）、開始画面Ｓ１へ遷移する。
【００２９】
開始画面Ｓ１には、「使用金額管理を開始しますか？」と、その「はい」「いいえ」の選択項目との表示がなされる。貸出機２は、開始画面Ｓ１で「いいえ」がタッチ操作されると、メニュー画面に戻り、補償金や管理金額を設定しない既存の運用とする一方、「はい」がタッチ操作されると、次の補償金設定画面Ｓ２へ遷移する。
【００３０】
補償金設定画面Ｓ２には、「補償金￥＊＊＊をお預かりしますが、よろしいですか？  補償金は管理終了時に消費可能です。」と、これに対応する「はい」「キャンセル」の選択項目との表示がなされる。貸出機２は、その設定画面Ｓ２で「キャンセル」がタッチ操作されると、メニュー画面に戻り既存の運用とする一方、「はい」がタッチ操作されると、補償金としての額（例えば￥５００）を残額から減算する減算処理を実行する。尚、「円」は「￥」で表すものとし、例えば￥５００は５００円に相当する。
【００３１】
ここで、補償金とは、管理金額に関して、遊技者の投入金額の一部を、管理金額の設定を解除するまで遊技に使用できない額とするものであり、その設定画面Ｓ２で当該補償金について前記「はい」のタッチ操作により次画面Ｓ３での管理金額の設定に併せて設定される。この補償金の額￥５００は、貸出機２に対して、遊技場側（つまり例えば遊技場の管理者）で例えば￥１，０００以下の額として予め設定入力されており、貸出機２の記憶部３３ｅには、当該補償金の額が記憶されている。
【００３２】
また、補償金の設定の有無は、貸出機２に対し遊技場側で予め設定入力しておくものとする。それ故、貸出機２は、開始画面Ｓ１で「はい」がタッチ操作された時点で当該補償金の設定の有無を判定し、補償金の設定有りと判定したとき上記設定画面Ｓ２の表示とタッチ操作の受け付けとを行う。この設定画面Ｓ２で「はい」がタッチ操作されると、次の管理金額設定画面Ｓ３へ遷移する。一方、貸出機２は、補償金の設定無しと判定したとき、その設定画面Ｓ２を表示させることなく、開始画面Ｓ１から直ちに管理金額設定画面Ｓ３へ遷移する。従って、設定画面Ｓ２の表示が無い場合（補償金の設定無しの場合）、補償金の残額からの減算処理は行われない。
【００３３】
管理金額設定画面Ｓ３には、「管理金額を設定して下さい。」と、「１，２，３，４，５，６，７，８，９，０」の数字からなる金額入力キー２４ａ及び「Ｃ」クリアキーと、その「決定」や「キャンセル」の選択項目との表示がなされる。貸出機２は、その設定画面Ｓ３で「キャンセル」がタッチ操作されると、メニュー画面に戻り既存の運用とする。一方、「決定」がタッチ操作されると、当該設定画面Ｓ３で遊技者により金額入力キー２４ａのタッチ操作により入力された額を管理金額として設定する。
【００３４】
ここで、管理金額とは、遊技者の遊技に関して使用する金額の上限を当該遊技者が任意に定める目安の額であり、その設定画面Ｓ３で例えば￥１，０００〜￥１００，０００の範囲において設定入力する。また、管理金額には、当該設定入力の日（以下、設定日と称す）から起算して、例えば１カ月の有効期限が貸出機２により自動的に付与される。尚、管理金額の￥１，０００〜￥１００，０００の範囲や有効期限は、貸出機２に対して、遊技場側で予め任意の値を設定入力することができ、貸出機２は、自身の記憶部３３ｅに当該範囲や有効期限の値を記憶している。
【００３５】
そして、貸出機２は、上記した各画面のステップＳ１〜Ｓ３に関して設定された、残額、補償金、管理金額、それらの設定日等の各情報を、一般カード９に書き込み記憶させると共に、当該各情報を管理装置６へ通知することにより、一般ＩＤに対応付けて管理装置６でも記憶（管理）させる構成としている。尚、会員カード１０について、管理金額の設定も当然に可能であることから、その詳細な説明を省略する。
【００３６】
詳しくは後述するように、管理金額の設定日から起算して有効期限が経過した場合、その管理金額や使用金額に関わらず、貸出機２において、管理金額を再設定するか解除するかを遊技者に選択させる更新画面を表示する。この場合、例えば「金額管理を継続しますか？」とその「はい」「いいえ」の選択項目との表示（図５の画面Ｓ７参照）に併せて、「管理金額を設定してから１カ月を経過しています。」と表示する。このとき、貸出機２は、その設定画面で「はい」がタッチ操作されると、一般カード９に記憶されている、設定日を初期化（つまり現在の設定日で上書き更新）して、現在の管理金額や後述の累積使用額を保持することで係る管理を継続する。一方、「いいえ」がタッチ操作されると、当該カード９に記憶されている、管理金額に係る設定がなされていないものとして、当該管理金額に係る設定を解除する。尚、残額について、紙幣投入口２３に紙幣が投入された投入日から起算して、その入金金額の使用期限を設定するシステムを採用する場合、貸出機２において、一般カード９に残額と対応付けて投入日を記憶させることができる。この場合、管理金額の有効期限と残額の使用期限とを、例えば同じ１カ月に設定して管理することもできる。
【００３７】
こうして、貸出機２では、管理金額やその有効期限等を適宜設定することで、所定期間に遊技者が大金を消費することを抑制することが可能となる。その具体的な内容について、「２．貸出時の表示と補償金」、「３．入金時やカード挿入時の表示と特別報知」の順に説明する。
【００３８】
２．貸出時の表示と補償金
例えば、貸出機２は、遊技者による紙幣投入口２３への￥１０，０００紙幣の投入に伴い、当該金額分について残額を￥０から￥１０，０００分増加させており、前記開始画面Ｓ１で遊技者により「使用金額管理」の開始が選択されたものとする。また、貸出機２において、補償金設定画面Ｓ２でのタッチ操作に応じて補償金が設定されることに伴い、残額から当該補償金の額（￥５００）を減算する減算処理（￥１０，０００−￥５００＝￥９，５００）を実行し、管理金額設定画面Ｓ３でのタッチ操作により、管理金額として例えば￥２５，０００が設定入力されたものとする。そして、貸出機２は、遊技機１での遊技の進行に伴い、前記貸出ボタン１７ａでの貸出操作に応じて残額の範囲内で１度数（￥５００）に相当する数の玉を払い出す貸出処理を実行すると共に、１度数分の玉を払い出す毎に、現時点の残額から￥５００を減算する減算処理を実行する。
【００３９】
このとき、図４の貸出時の画面Ｓ４として示すように、貸出機２は、当該貸出処理に伴い遊技者の遊技総額を表示出力する。ここで、遊技総額とは、遊技者が対価として使用した使用金額の合計であり、当該画面Ｓ４では「ただいまの使用金額」として貸出処理が複数回（例えば３０回）実行されたときの遊技総額「￥１５，０００」を例示している。また、遊技総額は、貸出機２によって１度数に相当する金額（￥５００）や貸出処理の回数等に基づき、一般カード９に対応付ける使用金額を積算した累計額として求められ、貸出処理を実行する度に、求めた遊技総額を当該画面Ｓ４に例えば数秒間表示させる。
【００４０】
尚、貸出時の画面Ｓ４に、管理金額に遊技総額が達するまでの残り金額である特別報知金額は表示しない。当該画面Ｓ４は貸出処理の度に表示されるため、遊技者に過度のプレッシャーを与えずに遊技を楽しむための配慮である。また、貸出時の画面Ｓ４を表示した後は、メニュー画面に復帰する。
【００４１】
一方、図４の画面Ｓ５は、先に管理金額と補償金との双方の設定がなされ、遊技の進行に伴い残額が例えば￥１，０００未満になったときに貸出機２により表示出力される画面である。即ち、貸出機２は、残額が予め定められた投入金額未満（￥１，０００未満）であることを条件に、貨幣投入を受け付けるように構成され、当該画面Ｓ５には「残額」と、遊技総額たる「累積使用額」と、「追加入金が可能です」との表示がなされると共に、補償金たる「預り金」並びに「管理中止で使用可能」の説明と、これに対応する「継続」「中止」の選択項目との表示がなされる。
【００４２】
この画面Ｓ５において、「継続」のタッチ操作が行われ、又は遊技者による紙幣の投入口２３への投入がなされると、貸出機２は、管理金額や補償金等の設定を維持する。従って、紙幣の投入がなされると、貸出機２は、当該金額分について残額を増加させる一方、管理金額や補償金の設定は維持し、メニュー画面に復帰する。また、貸出機２は、当該メニュー画面への復帰後或いは当該画面Ｓ５の表示中に、残額がある状態にて遊技者が発行ボタン１７ｂで発行操作を行った場合、管理金額や補償金の設定を維持すべく、残額に加えて管理金額や補償金を記録すると共に、遊技総額、特別報知金額を特定可能な情報等を記録した一般カード９を発行する。この点、貸出機２は、管理金額と遊技総額とから特別報知金額を求める（管理金額−遊技総額＝特別報知金額）ことができるため、これら３つの額のうち少なくとも２つの額を記録して、他の１つの額を特定する構成を採用することも可能である。それ故、管理金額と遊技総額は、その組合せにより、特別報知金額を特定可能な情報ということもできる。
【００４３】
尚、一般カード９に記録されうるカード情報には、上記した管理金額や補償金、遊技総額、特別報知金額（以下、これら４つの額を「管理金額に係る情報」と略す）の他、その発行の時点で持玉がある場合、その持玉数（持玉の計数結果）も含まれる。
【００４４】
また、Ｓ５の画面において、管理「中止」のタッチ操作が行われると、貸出機２は、管理金額の設定を解除すると共に、減算していた補償金の額を現時点の残額に加算することにより、前述した既存の運用に戻す。これにより、遊技者は補償金として設定していた金額（￥５００）の使用が可能になり、又、貸出機２は管理金額に係る情報の一般カード９への対応付けを行わない設定に初期化するため、当該カード９については以降の管理金額に係る画面Ｓ６〜Ｓ９の表示処理を行わない。このように、貸出機２の制御部３３は、予め定められた解除条件が成立した場合に管理金額の設定を解除する管理金額解除手段、並びに管理金額を解除した場合に補償金を遊技に使用可能にする補償金解除手段を構成する。
【００４５】
上記のように残額が例えば￥１，０００未満となり、Ｓ５の画面を表示しても、遊技者がカードを取り忘れるという事態も想定される。そこで、貸出機２は、当該画面Ｓ５の表示開始から所定時間（例えば５分間）、係るタッチ操作や紙幣の投入等が行われていないと判定すると、カードの取り忘れを状態表示部２２で報知し、或いはその旨を管理装置６へ通知して当該装置６側で報知する。
【００４６】
これに対し、Ｓ６の画面は、管理金額の設定がある一方、遊技場側で補償金の設定は無しとされ、遊技の進行により残額が￥０になったときに貸出機２が表示出力する画面である。従って、Ｓ６の画面では、先の画面Ｓ５と異なり「残額  ￥０」が表示され、補償金たる「預り金」や「管理中止で使用可能」の説明表示が省略されている。また、Ｓ６の画面では、「追加入金が可能です」や「管理継続時は継続を押してください」との説明と、これに対応する「継続」「中止」の選択項目との表示がなされる。
【００４７】
この画面Ｓ６において、遊技者が管理金額の設定を維持したいとき、画面Ｓ５と同様、「継続」のタッチ操作、紙幣投入口２３への紙幣の投入、又は発行ボタン１７ｂでの発行操作を行う。具体的には、貸出機２は、発行ボタン１７ｂで発行操作が行われた場合、その時点で残額が￥０且つ持玉数が０個であったとしても、管理金額が設定されていることを条件に、その管理金額に係る情報等を記録した一般カード９を発行する発行処理を実行する。また、Ｓ６の画面において、管理「中止」のタッチ操作が行われると、貸出機２は、一般カード９に対応付ける管理金額の設定を解除して既存の運用に戻す。
【００４８】
尚、貸出機２における、管理金額に係る情報の対応付けや発行処理の対象は一般カード９に限らず、上記した各画面Ｓ１〜Ｓ６のステップで、会員カード１０を対象として管理金額に係る情報の対応付けや発行処理が可能であることは言うまでもない。
【００４９】
もっとも、貸出機２は、上記のように残額が￥０で、Ｓ６の画面の表示開始から所定時間（例えば５分間）、タッチ操作や紙幣の投入等が行われていないと判定すると、補償金の設定がないことから、管理金額の設定を解除した上で一般カード９を回収する。換言すれば、貸出機２は、一般カード９を受け付けた後、画面Ｓ６のステップで、残額及び補償金のない一般カード９について、管理金額の設定を解除して回収する一方、会員カード１０については、個々の会員に割り当てられるものであるから、画面Ｓ６のステップで管理金額を解除したとしても、回収されることはない。尚、予め定められた解除条件の成立は、例示した管理「中止」のタッチ操作（解除操作）や、補償金の設定がないカード９の所定時間の放置といった解除条件に限らず、後述の画面Ｓ７（図５参照）での解除操作を解除条件とし、或いは、該当する貸出機２に対して管理装置６側で入力操作された遊技場の管理者による設定解除が通知されたときに解除条件が成立したとみなす等、適宜変更することができる。
【００５０】
こうして、貸出機２は、一般カード９について、前記画面Ｓ３のステップで管理金額を設定していない場合、画面Ｓ５、Ｓ６のステップで管理金額の設定を解除した場合、の何れかの場合にあって、残額並びに持玉数がない状態では発行ボタン１７ｂで発行操作が行われたとしても当該カード９の発行を抑制する（つまり発行処理を実行しない）一方、画面Ｓ３のステップで管理金額を設定していることを条件に、残額並びに持玉数がない状態でも（Ｓ６の画面参照）発行ボタン１７ｂでの発行操作により、管理金額に係る情報（少なくとも特別報知金額に係る情報を含む）を記録した一般カード９の発行が可能に構成されている。
【００５１】
３．入金時やカード挿入時の表示と特別報知
遊技者は、発行された一般カード９を持って他の遊技機１での遊技に用いることができ、対応する貸出機２において、そのカード９が挿入口２９へ挿入されることによりカードＲＷ３７で当該カード９を受け付けた場合にカード情報を読み取って、残額及び特別報知金額を含む管理金額に係る情報を特定する。
【００５２】
図５の画面Ｓ７は、係る一般カード９が挿入口２９に挿入された場合や、画面Ｓ３のステップで管理金額を設定した後に、紙幣が投入口２３へ投入された場合に、貸出機２により所定時間表示出力される画面である。この画面Ｓ７には、管理金額に係る情報に基づき前記画面Ｓ４と同様の遊技総額たる「ただいまの使用金額」の表示がなされると共に、「金額管理を継続しますか？」とその「はい」「いいえ」の選択項目との表示がなされる。
【００５３】
Ｓ７の画面で「いいえ」がタッチ操作されると、貸出機２は、管理金額の設定を解除すると共に減算していた補償金の額を現時点の残額に加算して、前述した既存の運用に戻す（メニュー画面に戻る）。従って、遊技者は補償金として設定していた金額の使用が可能になり、又、貸出機２は前記の管理金額に係る情報の初期化により、当該カード９について以降の管理金額に係る画面Ｓ８、Ｓ９の表示処理を行わない。
【００５４】
また、Ｓ７の画面において、「はい」がタッチ操作された場合や、当該画面Ｓ７表示開始から所定時間（例えば５分間）経過した場合、の何れの場合にも、貸出機２は、管理金額や補償金の設定を維持し、メニュー画面に復帰する。このように、貸出機２は、「はい」がタッチ操作されない場合でも、金額管理の促進を目的に、その継続を優先する処理を実行する。
【００５５】
そして、貸出機２は、遊技の進行に伴い、累計した遊技総額が管理金額に達したと判定した場合又は達すると判定する場合に、図５の画面Ｓ８又はＳ９を表示出力して遊技者に対する特別報知を実行する。
【００５６】
即ち、Ｓ８の画面は、上記画面Ｓ３のステップで管理金額として￥３０，０００未満の額（例えば￥２５，０００）が設定された後、遊技総額が当該￥２５，０００に到達したときに表示される特別報知の画面である。この画面Ｓ８では、「残額」と遊技総額たる「累積使用額」との表示がなされると共に、「使用金額が管理金額に到達しました。ほどほどの遊技を楽しんでください」との遊技者の、のめり込みへの注意喚起を促すメッセージによる特別報知の表示がなされる。
【００５７】
こうして、特別報知を実行した場合に、貸出機２は、例えば画面Ｓ８のタッチ操作により当該画面Ｓ８から遷移する（或いは画面Ｓ８表示開始から所定時間後に遷移する）図示しない選択画面を表示して、管理金額の設定を解除するか、又は管理金額を再度設定するかを遊技者に選択させる。具体的には、選択画面に例えば「管理金額を再度設定しますか？  再度設定しない場合、管理金額の設定は自動的に解除されます。」と、その「はい」「いいえ」の選択項目との表示がなされる。このとき、貸出機２は、選択画面（厳密にはタッチパネル３６において対応する選択項目）のタッチ操作により「はい」が選択されたと判定すると、管理金額を再度設定するステップＳ２、Ｓ３の画面（図３参照）に遷移することから、遊技者は管理金額や補償金を設定し直す（変更する）ことができる。一方、貸出機２は、選択画面でのタッチ操作により「いいえ」が選択されたと判定すると、管理金額の設定を解除すると共に、減算していた補償金の額を現時点の残額に加算することにより、前述した既存の運用に戻す。尚、貸出機２は、Ｓ８の画面を表示した後、選択画面で「はい」「いいえ」の何れかが選択されたと判定するまで、貸出ボタン１７ａで貸出操作がなされても、その操作入力を受け付けない。つまり、貸出機２は、特別報知と併せて、その後の管理金額に対する遊技者の再認識を経るまで貸出ボタン１７ａの操作を無効化する処理を行い、過度な金額の使用を抑制している。
【００５８】
これに対し、Ｓ９の画面は、上記画面Ｓ３のステップで管理金額として￥３０，０００以上の額（例えば￥４５，０００）が設定された後、遊技総額が当該￥４５，０００に達することが見込まれるときに表示される特別報知の画面である。厳密には、貸出機２は、￥３０，０００以上の管理金額が設定されている場合、その管理金額に達する前のタイミングと、達したときのタイミングとで２回の特別報知を実行する。
【００５９】
例えば、１回目の特別報知は、貸出機２において、現時点での遊技総額が￥３５，０００のとき、紙幣投入口２３への￥１０，０００紙幣の投入により、その残高の増加分（￥１０，０００分）使用しきると遊技総額が管理金額（￥４５，０００）に達することが見込まれるため、当該見込まれるタイミングつまり遊技総額が￥３５，０００になった時点で実行する。換言すれば、貸出機２は、残額が予め定められた前記投入金額未満の場合に、貨幣投入を受け付ける時点における遊技総額と当該受け付け可能な投入金額との合計額が、管理金額に達すると判定したときＳ９の画面へ遷移して１回目の特別報知を実行する一方、管理金額に満たないと判定したとき補償金の設定等に応じてＳ５或いはＳ６の画面に遷移する。
【００６０】
従って、Ｓ９の画面は、貨幣たる￥１０，０００紙幣を受け付けると遊技総額が管理金額（￥４５，０００）に達する状況にあって、残額（￥０）が投入金額未満になった場合に表示される１回目の特別報知の画面として、「残額  ￥０」と遊技総額たる「累積使用額  ￥３５，０００」と「預り金  ￥５００」との表示がなされると共に、「追加入金が可能です。追加入金額によっては、入金した額を使用すると管理金額に到達します。…」との表示がなされる。１回目の特別報知の実行後、貸出機２は、当該画面Ｓ９から前記の選択画面へ遷移するが、その選択画面における管理金額の再設定や解除の内容については、貸出ボタン１７ａの操作を無効化しない点でのみ相違する。つまり、貸出機２において、１回目の特別報知を実行した後、貸出ボタン１７ａの操作入力に応じて貸出処理を行うことから、遊技機１での遊技を続けることができる。その後、貸出機２は、遊技総額が管理金額（￥４５，０００）に達したと判定すると、２回目の特別報知の画面を表示する。
【００６１】
この場合、図示は省略するが、２回目の特別報知の画面は、「残額」や「累積使用額」、「使用金額が管理金額に到達しました。ほどほどの遊技を楽しんでください」といった表示がなされるものであり、Ｓ８の画面とは「累積使用額」が￥４５，０００である点で異なる。また、貸出機２は、２回目の特別報知の画面から遷移する前記の選択画面を表示するが、その選択画面における管理金額の再設定や解除の内容については、貸出ボタン１７ａの操作を無効化する等、画面Ｓ８から遷移する選択画面と同じであるので、その説明を省略する。
【００６２】
尚、管理金額に係る有効期限の経過により、貸出機２において、該当する一般カード９から読み取ったカード情報に基づき当該有効期限が経過したと判定した場合、前述した更新画面（図示略）での更新により管理金額に係る設定を継続することができる。また、貸出機２においては、有効期限とは別に、補償金の救済期間が予め設定されている。救済期間は、失念された遊技者の補償金を救済するために、有効期限から所定期間経過するまで、貸出機２において補償金として設定していた金額（￥５００）の使用を可能にする期間である。一方、貸出機２は、有効期限が切れ、且つ救済期間が経過したと判定した時点で、その補償金の額を遊技場側の収益として取り込む（計上する）。尚、貸出機２は、有効期限後の救済期間中に、その有効期限を延ばしたり再設定をすることができるように、設定入力が可能な構成を採ることができる。
【００６３】
以上に説明したように本実施形態によれば、次に示す効果を得ることができる。
貸出機２において、本来残額がない状態では発行できない一般カード９を、管理金額を設定していれば残額がなくとも発行するため、遊技者の遊技総額を一般カード９に対応付けて特定し易くなる。これにより、会員カード１０を所有している遊技者はもちろん、会員登録を行っていない遊技者に対しても遊技総額に応じて特別報知を実行できる。この結果、会員登録を行っていない遊技者でも遊技にのめり込むことを抑制できる。
【００６４】
貸出機２は、管現金額が設定された場合、残額の一部を補償金として設定するため、発行した一般カード９を遊技者が持ち帰って破棄するおそれを低減できる。
特別報知を実行した場合に再度管理金額を設定するか、管理金額の設定を解除するかを貸出機２で遊技者が選択できるため、遊技者の利便性を向上できる。
【００６５】
特に、管理金額の設定を解除すれば、補償金の分が遊技に使用可能になる構成では、管理金額の設定を解除するか否かを選択することで、補償金を使用するか否かも選択することができる。これにより、遊技者の利便性を一層高くすることができる。
【００６６】
貸出機２において、追加で紙幣の投入を受け付ける場合に特別報知を実行するため、紙幣投入を行うか否かを遊技者に考えさせることができる。これにより、遊技者の遊技への、のめり込みを抑制する効果を効率良く発揮することが可能になる。
【００６７】
本発明は、上記実施形態にのみ限定されるものではなく、以下のように変形又は拡張することができる。
例示した遊技機１とは異なる遊技機に適用することも可能であり、例えば遊技媒体としてメダルを用いるスロットマシンはもちろん、玉が封入され遊技者が玉にさわることができず、クレジットや得点を消費して玉を発射する封入式パチンコ機や、メダルを用いることなくクレジットや得点の消費で遊技が進行するクレジット式スロットマシン等に適用し、遊技価値として、それらメダルやクレジット、得点を遊技者に付与する遊技用装置で構成しても良い。
【００６８】
上記実施形態では記録媒体として、ＩＣカード９，１０のうち主に一般カード９について説明したが、これらのカード９，１０とは異なる記録媒体を使用しても良い。例えばＩＣコインといったコイン型や、スティック型の記録媒体の他、磁気カードたる磁気媒体を記録媒体として使用する構成を採用しても良い。
【００６９】
遊技に使用する遊技価値は任意に変更しても良く、例えば１個１円で貸し出す玉や、１枚５円で貸し出すメダルを遊技媒体として使用する遊技場に対応することも可能である。
管理金額に係る設定を行うための選択手段は、貸出機２でタッチ操作を行う画面上のボタン(タッチパネル３６)に限らず、例えば、遊技機１又は呼出ランプ３において、押圧操作を行う選択ボタンとして設けるようにしても良い。貸出操作手段や発行操作手段も、遊技機１の貸出ボタン１７ａや発行ボタン１７ｂに限らず、例えば貸出機２又は呼出ランプ３において、貸出操作を行う貸出ボタンや発行操作を行う発行ボタンを設けるようにしても良い。つまり、貸出機２の備える各操作手段や機能は、当該貸出機２に対して直に配設され或いは内蔵する手段や機能に限定されるものではなく、貸出機２に付設された外部装置に配設され或いは内蔵された手段や機能であっても、貸出機２が遊技用装置として備える構成に該当する。
【００７０】
遊技者の使用した遊技総額に基づいて特別報知を実行するか否かを決定する構成としたが、遊技者の投入金額に基づいて特別報知を実行する構成にしても良い。例えば、貸出機２において、遊技者が紙幣投入口２３へ投入した金額の合計を、一般カード９に対応付けて記憶し、その投入金額の累計が管理金額に達した場合又は達する場合に特別報知を実行する構成とすれば良い。
【００７１】
管理金額を遊技者が貸出機２にて設定する構成にしたが、貸出機２で設定する構成に加え、又は代えて、管理装置６や、前記ＰＯＳ、精算機７等、貸出機２以外で管理金額を設定可能にしても良い。こうした構成においても、遊技用装置が管理（上限）金額設定手段を備えた構成に該当する。つまり、管理金額設定手段は、一の装置内に設けられている必要はなく、遊技用装置が外部に備える手段であっても良い。
【００７２】
本構成においては、管理金額を遊技者の申告で決定する構成にしても良いし、遊技場側で指定した遊技者に対して遊技場側で決定した金額を管理金額として設定する構成にしても良い。例えば遊技場の従業員は、遊技者の管理金額の申告を受けて、その額をＰＯＳや貸出機２に対し入力操作する等して、管理金額に係る設定を行うことができる。
【００７３】
特別報知の方法を任意に変更しても良い。例えば、表示内容を変更する構成や、表示にて報知することに代えて又は加え、音声の出力やブザーの鳴動で報知する構成等が考えられる。尚、表示にはランプを点灯してランプの発光態様で報知を行う構成が含まれる。更には、貸出機２において上記特別報知に併せて、貸出処理を禁止する（実行しない）等して、遊技の進行を抑制する構成にしても良い。この場合の遊技進行の抑制は、特別報知として実行しても良いし、特別報知とは別の処理内容として特別報知後に実行しても良い。また、管理金額の設定画面Ｓ３で設定した、管理金額の大きさによって特別報知の実行態様を異ならせる構成にしたが、管理金額の大小にかかわらず、同じ特別報知の実行態様としても良い。
【００７４】
補償金の有無を遊技場側で設定できる構成としたが、その遊技場側の設定と補償金設定画面Ｓ２を省略し、管理金額の設定の有無に合わせて貸出機２により補償金の有無を自動的に設定することで、管理金額を設定すると補償金が必ず設定されるようにしても良い。また、管理金額の設定の有無にかかわらず、貸出機２において補償金を設定できない構成にしても良い。
【００７５】
管理金額の設定を解除する条件を任意に変更しても良い。例えば、Ｓ８の画面での特別報知を行った場合又は前記２回目の特別報知を行った場合、貸出機２によって、前記選択画面を表示させることなく、管理金額の設定を自動的に解除する構成にしても良い。このように、貸出機２は、特別報知を実行した場合に管理金額の設定を解除する構成とすれば、その後に残額がなくなると一般カード９を回収するため、一般カード９が遊技者に所持され続けてしまうことを抑制できる。
【００７６】
管理金額の有効期限を遊技場側で設定した１ヶ月にする構成を例示したが有効期限を変更しても良く、例えば、有効期限のない無期限とする構成や、遊技者が自由に有効期限を設定入力する構成や、所定の期間を最大値とした範囲内で遊技者が有効期限を選択したり設定入力したりする構成等が考えられる。
【００７７】
貸出機２において、一般カード９を受け付けている状態で、そのカード９に対応付けるべき持玉数（以下、計数結果と称す）や残金等の一部を、他の遊技者に譲渡するためのカード９への書き込みを行う分割発券（分割発行）を可能とするものとする。この場合、当該受け付けている一般カード９をカード９Ａとしたとき、当該カード９Ａに計数結果や残金の一部を書き込んで他の遊技者に譲渡し、残った計数結果や残金を、カードストック部３８における別の一般カード（カード９Ｂ）に対応付けることになる。このため、管理金額に係る情報の対応付けも、カード９Ａからカード９Ｂに移行する（つまりカード９Ｂの発行時に当該カード９Ｂに管理金額に係る情報を書き込む）構成にすると良い。
【００７８】
尚、一般カード９や貸出機２に異常が発生し、別のカード９へのデータの書き込み（つまり対応付けるべき情報の引き継ぎ）の必要が生じたような場合には、管理金額に係る情報も引き継いで良い。
【００７９】
貸出機２において、一般カード９を受け付けている状態で、会員カード１０を挿入すると、一般カード９に対応付けていた計数結果や残金を会員カード１０に対応付けることになる。この場合、それまで対応付けていた管理金額に係る情報も会員カード１０に移行する構成にすると良い。更には、会員カード１０にも管理金額に係る情報が既に対応付けられていた場合、会員カード１０に対応付けられていた管理金額の設定を優先し、一般カード９に対応付けられていた管理金額の設定をクリアして初期化する構成にしても良い。
【００８０】
また、上記実施形態では、発行ボタン１７ｂで発行操作が行われた場合、その時点で残額が￥０且つ持玉数が０個であったとしても、管理金額が設定されていることを条件に一般カード９の発行処理を実行する構成としたが、発行操作が行われなくても、貸出機２において、残額が￥０且つ持玉数が０個になった時点で、少なくとも管理金額が設定されていることを条件に一般カード９の発行処理を自動的に実行する構成としても良い。
【００８１】
また、数値、桁数、項目等は例示であり、どのような数値を採用しても良いし、変形例を含む例示した構成をどのように組み合わせても良い。
【符号の説明】
【００８２】
図面中、１は遊技機、２は貸出機（遊技用装置）、１７ａは貸出操作手段、１７ｂは発行操作手段、２４は特別報知実行手段、３３は制御部（残額増加手段、遊技価値付与手段、管理金額設定手段、特別報知実行手段、発行手段、金額特定手段、補償金設定手段、管理金額解除手段、補償金解除手段、選択手段）、３５は貨幣受付手段、３６は選択手段、３７は記録媒体受付手段、３８は記録媒体回収手段である。
【図１】
0006608742.tif 000002
【図２】
0006608742.tif 000003
【図３】
0006608742.tif 000004
【図４】
0006608742.tif 000005
【図５】
0006608742.tif 000006